(57)【特許請求の範囲】
【請求項１】
嵌合凹部が形成された電子部品受け部と、
第１形状に形成され前記嵌合凹部に嵌合可能である第１電子部品と、
前記第１形状とは異なる第２形状に形成され前記嵌合凹部に嵌合可能である第２電子部品と、
前記電子部品受け部を収容すると共に、前記嵌合凹部と対向する位置に、一部が前記嵌合凹部側に突出し前記第１形状に応じた形状に形成された第１開口部を有する筐体とを備え、
前記電子部品受け部は、複数設けられ、それぞれ同一形状の前記嵌合凹部が形成され、
前記筐体は、複数の前記嵌合凹部のうちの１つと対向する位置に前記第１開口部が形成され、さらに、複数の前記嵌合凹部のうちの他の１つと対向する位置に、一部が前記嵌合凹部側に突出し前記第２形状に応じた形状に形成された第２開口部を有することを特徴とする、
電気接続箱。
【請求項２】
前記第１電子部品と前記第２電子部品とは、それぞれ当該第１電子部品と当該第２電子部品とで相互に形状が異なる電子部品側形状相違部を有し、
前記第１開口部は、前記嵌合凹部側に突出した部分として、前記第１電子部品の前記電子部品側形状相違部が通過可能でかつ前記第２電子部品の前記電子部品側形状相違部が通過不能な形状に形成された第１筐体側形状相違部を有し、前記第１筐体側形状相違部が前記第１電子部品の前記電子部品側形状相違部の通過を許容することで前記第１電子部品の前記嵌合凹部への嵌合を許容し、前記第２電子部品の前記電子部品側形状相違部と前記第１筐体側形状相違部とが当接することで前記第２電子部品の前記嵌合凹部への嵌合を規制し、
前記第２開口部は、前記嵌合凹部側に突出した部分として、前記第２電子部品の前記電子部品側形状相違部が通過可能でかつ前記第１電子部品の前記電子部品側形状相違部が通過不能な形状に形成された第２筐体側形状相違部を有し、前記第２筐体側形状相違部が前記第２電子部品の前記電子部品側形状相違部の通過を許容することで前記第２電子部品の前記嵌合凹部への嵌合を許容し、前記第１電子部品の前記電子部品側形状相違部と前記第２筐体側形状相違部とが当接することで前記第１電子部品の前記嵌合凹部への嵌合を規制する、
請求項１に記載の電気接続箱。
【請求項３】
電線と、
前記電線に接続される電気接続箱とを備え、
前記電気接続箱は、嵌合凹部が形成された電子部品受け部と、
第１形状に形成され前記嵌合凹部に嵌合可能である第１電子部品と、
前記第１形状とは異なる第２形状に形成され前記嵌合凹部に嵌合可能である第２電子部品と、
前記電子部品受け部を収容すると共に、前記嵌合凹部と対向する位置に、一部が前記嵌合凹部側に突出し前記第１形状に応じた形状に形成された第１開口部を有する筐体とを備え、
前記電子部品受け部は、複数設けられ、それぞれ同一形状の前記嵌合凹部が形成され、
前記筐体は、複数の前記嵌合凹部のうちの１つと対向する位置に前記第１開口部が形成され、さらに、複数の前記嵌合凹部のうちの他の１つと対向する位置に、一部が前記嵌合凹部側に突出し前記第２形状に応じた形状に形成された第２開口部を有することを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、リレーやヒューズに対する接続ブロックが複数並列に設けられ、各接続ブロックがバスバーで連続され、各接続ブロックの間に該バスバーの露出部が位置し、該バスバーに、接続ブロック内に位置する内側端子と、外部に突出する外側端子とが形成され、該露出部から該バスバーを切断することで、所要数の接続ブロックによる電源分配部が構成される電気接続箱が開示されている。
【先行技術文献】
【特許文献】
【０００３】
【特許文献１】特開２０００−０４０５６５号公報
【発明の概要】
【発明が解決しようとする課題】
【０００４】
ところで、上述の特許文献１に記載の電気接続箱は、例えば、汎用性向上と誤組み付け防止との両立の点で更なる改善の余地がある。
【０００５】
本発明は、上記の事情に鑑みてなされたものであって、汎用性の向上と誤組み付けの防止とを両立することができる電気接続箱、及び、ワイヤハーネスを提供することを目的とする。
【課題を解決するための手段】
【０００６】
上記目的を達成するために、本発明に係る電気接続箱は、嵌合凹部が形成された電子部品受け部と、第１形状に形成され前記嵌合凹部に嵌合可能である第１電子部品と、前記電子部品受け部を収容すると共に、前記嵌合凹部と対向する位置に、一部が前記嵌合凹部側に突出し前記第１形状に応じた形状に形成された第１開口部を有する筐体とを備えることを特徴とする。
【０００７】
また、上記電気接続箱では、前記第１形状とは異なる第２形状に形成され前記嵌合凹部に嵌合可能である第２電子部品を備え、前記電子部品受け部は、複数設けられ、それぞれ同一形状の前記嵌合凹部が形成され、前記筐体は、複数の前記嵌合凹部のうちの１つと対向する位置に前記第１開口部が形成され、さらに、複数の前記嵌合凹部のうちの他の１つと対向する位置に、一部が前記嵌合凹部側に突出し前記第２形状に応じた形状に形成された第２開口部を有するものとすることができる。
【０００８】
また、上記電気接続箱では、前記第１電子部品と前記第２電子部品とは、それぞれ当該第１電子部品と当該第２電子部品とで相互に形状が異なる電子部品側形状相違部を有し、前記第１開口部は、前記嵌合凹部側に突出した部分として、前記第１電子部品の前記電子部品側形状相違部が通過可能でかつ前記第２電子部品の前記電子部品側形状相違部が通過不能な形状に形成された第１筐体側形状相違部を有し、前記第１筐体側形状相違部が前記第１電子部品の前記電子部品側形状相違部の通過を許容することで前記第１電子部品の前記嵌合凹部への嵌合を許容し、前記第２電子部品の前記電子部品側形状相違部と前記第１筐体側形状相違部とが当接することで前記第２電子部品の前記嵌合凹部への嵌合を規制し、前記第２開口部は、前記嵌合凹部側に突出した部分として、前記第２電子部品の前記電子部品側形状相違部が通過可能でかつ前記第１電子部品の前記電子部品側形状相違部が通過不能な形状に形成された第２筐体側形状相違部を有し、前記第２筐体側形状相違部が前記第２電子部品の前記電子部品側形状相違部の通過を許容することで前記第２電子部品の前記嵌合凹部への嵌合を許容し、前記第１電子部品の前記電子部品側形状相違部と前記第２筐体側形状相違部とが当接することで前記第１電子部品の前記嵌合凹部への嵌合を規制するものとすることができる。
【０００９】
上記目的を達成するために、本発明に係るワイヤハーネスは、電線と、前記電線に接続される電気接続箱とを備え、前記電気接続箱は、嵌合凹部が形成された電子部品受け部と、第１形状に形成され前記嵌合凹部に嵌合可能である第１電子部品と、前記電子部品受け部を収容すると共に、前記嵌合凹部と対向する位置に、一部が前記嵌合凹部側に突出し前記第１形状に応じた形状に形成された第１開口部を有する筐体とを備えることを特徴とする。
【発明の効果】
【００１０】
本発明に係る電気接続箱、及び、ワイヤハーネスは、筐体において第１電子部品の第１形状に応じて形成された第１開口部によって当該第１電子部品とは異なる形状の部品が当該第１開口部を介して電子部品受け部の嵌合凹部に誤って組み付けられることを防止することができる。この場合、電気接続箱、ワイヤハーネスは、第１電子部品が嵌合される嵌合凹部の形状を共通の構成とした上で、当該嵌合凹部側に突出した部分を含み筐体側に形成される第１開口部の形状を適宜変更することで、第１形状として様々な形状の第１電子部品に容易に対応することができる。この結果、電気接続箱、及び、ワイヤハーネスは、汎用性の向上と誤組み付けの防止とを両立することができる、という効果を奏する。
【図面の簡単な説明】
【００１１】
【図１】図１は、実施形態に係る電気接続箱の概略構成を表す模式的な部分分解斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
【００１４】
図１に示す電気接続箱１は、自動車等の車両に搭載され、ワイヤハーネスＷＨに組み込まれ、電線等の接続処理用部品を構成するコネクタ、ヒューズ、リレー、コンデンサ、分岐部、電子制御ユニット等の電装品を集約して内部に収容するものである。電気接続箱１は、例えば、車両のエンジンコンパートメント（エンジンルーム）や車両室内に設置され、バッテリ等の電源と、車両内に搭載される各種電子機器との間に接続されている。電気接続箱１は、電源から供給された電力を車両内の各種電子機器に分配する。なお、電気接続箱１は、ジャンクションブロック、ヒューズブロック、リレーブロックなどとも呼ばれる場合があるが、本実施形態ではこれらを総称して電気接続箱と呼ぶ。なお、以下では、特に断りのない限り、電気接続箱１の各部が組み付けられ車両に搭載された状態での方向として説明する。
【００１５】
ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、複数の電線Ｗと、当該電線Ｗと電気的に接続される電気接続箱１とを備える。電線Ｗは、例えば、複数の導電性の金属素線を撚り合わせた導体部（芯線）と、当該導体部の外側を覆う絶縁性の被覆部とを含んで構成される。ワイヤハーネスＷＨは、複数の電線Ｗを束ねて集約し束ねられた電線Ｗの端部に接続部としてのコネクタ等を介して電気接続箱１が電気的に接続される。ワイヤハーネスＷＨは、この他、さらに、グロメット、プロテクタ、固定具等を含んで構成されてもよい。
【００１６】
具体的には、電気接続箱１は、複数の電子部品２と、回路配索部材３と、筐体４とを備える。筐体４は、収容部材としてのロアカバー５と、蓋部材としての複数のアッパカバー６とを備える。ロアカバー５とアッパカバー６とは、所定の積層方向に沿って積層される。言い換えれば、積層方向とは、ロアカバー５とアッパカバー６とが積層される方向である。
【００１７】
本実施形態の電気接続箱１は、例えば、適用される車種やプラットフォーム等にかかわらず、電子部品２等を可能な限り標準化、共用化する一方、ロアカバー５やロアカバー５に組み付けられるアッパカバー６等にバリエーションを持たせることで、部材の標準化、共用化による汎用性の向上と、部材の選択多様性による最適化とをバランスよく両立することができるものである。
【００１８】
以下、電気接続箱１の各構成について具体的に説明する。なお、以下の説明では、積層方向においてアッパカバー６が設けられる側を上側、ロアカバー５が設けられる側を下側という場合がある。また、積層方向と直交する２つの方向のうち一方を「第１幅方向」、他方を「第２幅方向」という場合がある。第１方向としての積層方向と第２方向としての第１幅方向と第３方向としての第２幅方向とは、相互に直交する。以下の説明で用いる各方向は、特に断りのない限り、各部が相互に組み付けられた状態での方向を表すものとする。
【００１９】
電子部品２は、種々の導電性の部材を介して電線Ｗに電気的に接続されるものである。電子部品２は、複数設けられる。電子部品２は、例えば、コネクタ、ヒューズ、リレー、コンデンサ、分岐部、電子制御ユニット、これらをユニット化した電子部品ユニット等である。ここでは、電子部品２は、電気接続箱１における構成要素として最小単位となる要素を、可能な限り適用される車種等にかかわらず標準化、共用化することが好ましい。
【００２０】
本実施形態の電子部品２は、少なくとも、それぞれ同一形状の嵌合凹部２１ａが形成された複数の電子部品受け部２１と、それぞれ嵌合凹部２１ａに嵌合可能である第１電子部品２２、及び、第２電子部品２３とを含んでいる。本実施形態の第１電子部品２２、第２電子部品２３は、いわゆるコネクタであり、電子部品受け部２１は、コネクタである第１電子部品２２、第２電子部品２３が嵌合するコネクタハウジングブロックである。
【００２１】
電子部品受け部２１は、それぞれ第１電子部品２２、又は、第２電子部品２３が嵌合可能な同一形状の嵌合凹部２１ａが形成されるコネクタハウジングブロックであり、ここでは２つを図示している。各電子部品受け部２１は、嵌合凹部２１ａと、フード部２１ｂと、底部２１ｃと、端子２１ｄとを含み、フード部２１ｂと底部２１ｃとが一体で形成される。フード部２１ｂは、略ロの字型に形成され第１電子部品２２、第２電子部品２３の双方が個別に嵌合可能な共通な形状に形成される。底部２１ｃは、略矩形板状に形成される底体であり、フード部２１ｂの積層方向下側の開口を閉塞する部分である。フード部２１ｂは、底部２１ｃの縁部に立設されるようにして形成される。フード部２１ｂと底部２１ｃとは、組み合わさって全体として、積層方向上側に開口を有する中空状の略直方体箱状に形成され、中空状の内部空間部が嵌合凹部２１ａとして形成される。各嵌合凹部２１ａは、キャビティとも呼ばれ、複数の電子部品受け部２１において、第１電子部品２２、第２電子部品２３の外形形状に応じて双方が個別に嵌合可能な同一形状の空間部として形成される。電子部品受け部２１は、底部２１ｃに多数の端子貫通孔が設けられており、当該端子貫通孔に端子２１ｄが保持される。各端子２１ｄは、導電性の金属により棒状に形成され、コネクタである第１電子部品２２、第２電子部品２３と電気的に接続されるものであり、当該端子貫通孔を介してフード部２１ｂの内部の底部２１ｃを積層方向上下に貫通する。端子２１ｄは、積層方向上側端部に第１電子部品２２、第２電子部品２３が電気的に接続される一方、積層方向下側端部がはんだ等を介して回路配索部材３の回路を構成する配線に電気的に接続される。各電子部品受け部２１は、端子２１ｄを介して回路配索部材３の積層方向上側の面に実装され、すなわち、後述する回路配索部材３の積層方向上側の面が当該各電子部品受け部２１の実装面となる。上記のように構成される電子部品受け部２１は、例えば、適用される車種やプラットフォーム等にかかわらず標準化、共用化されることが好ましい。
【００２２】
第１電子部品２２、第２電子部品２３は、各電子部品受け部２１の嵌合凹部２１ａに着脱可能に組み付けられるものであり、ここでは、上述したようにワイヤハーネスＷＨを構成する電線Ｗの末端に接続されるコネクタである。第１電子部品２２、第２電子部品２３は、それぞれ嵌合凹部２１ａに嵌合可能な形状に形成されたコネクタハウジング２２ａ、２３ａを含んで構成される。各コネクタハウジング２２ａ、２３ａは、絶縁性の合成樹脂材等によって形成され、電線Ｗの末端に設けられ上述した電子部品受け部２１の端子２１ｄと電気的に接続される端子を保持する。第１電子部品２２、第２電子部品２３は、電子部品受け部２１の嵌合凹部２１ａに嵌合されることで端子２１ｄと電気的に接続される。
【００２３】
そして、本実施形態の各コネクタハウジング２２ａ、２３ａは、ともに略直方体形状に形成されると共に、第１電子部品２２と第２電子部品２３とで相互に形状が異なる電子部品側形状相違部としての第１形状相違部２２ｂ、及び、第２形状相違部２３ｂが形成される。第１形状相違部２２ｂ、及び、第２形状相違部２３ｂは、後述する筐体４の各開口部６１における第１形状相違部６２ａ、及び、第２形状相違部６３ａと共に、第１電子部品２２、第２電子部品２３のそれぞれが筐体４に対して誤った位置関係で組み付けられることを防止するためのフールプルーフ（ＦＰ：Ｆｏｏｌ  Ｐｒｏｏｆ）機能部として機能する。第１形状相違部２２ｂ、及び、第２形状相違部２３ｂは、仕様や筐体４における設置位置等に応じて個別に設定される形状、言い換えれば、仕様や筐体４における設置位置等に応じて識別可能に形成される形状である。ここでは、第１形状相違部２２ｂ、及び、第２形状相違部２３ｂは、共に各コネクタハウジング２２ａ、２３ａにおける第１幅方向に沿った外面に形成される。第１形状相違部２２ｂ、及び、第２形状相違部２３ｂは、共に積層方向に沿って延在する直線状凹部として形成される一方、第１幅方向に対して異なる位置に形成される。このようにして、第１電子部品２２は、コネクタハウジング２２ａに形成された第１形状相違部２２ｂの形状に応じて第１形状に形成される一方、第２電子部品２３は、コネクタハウジング２３ａに形成された第２形状相違部２３ｂの形状に応じて第１電子部品２２の第１形状とは異なる第２形状に形成される。
【００２４】
回路配索部材３は、複数の電子部品２が電気的に接続されるものである。回路配索部材３は、適用される車種等に応じて要求される回路を構成する。回路配索部材３は、例えば、絶縁性の樹脂材料からなる絶縁基板の表面（実装面）に、銅等の導電性の材料によって配線パターン（プリントパターン）が印刷されたいわゆるプリント回路基板（Ｐｒｉｎｔｅｄ  Ｃｉｒｃｕｉｔ  Ｂｏａｒｄ：ＰＣＢ）、導電性の金属材料からなるバスバ、当該バスバを絶縁性の樹脂材料で被覆したバスバプレート等を用いることができる。本実施形態の回路配索部材３は、略矩形板状に形成されたプリント回路基板によって構成され、ここでは、実装面に種々の電子部品２、図１の例では、電子部品受け部２１が実装されている。回路配索部材３は、少なくとも積層方向上側の実装面に２つの電子部品受け部２１が実装されている。
【００２５】
筐体４は、内部に形成される収容空間部４１に種々の電子部品２、回路配索部材３を収容するものであり、ここでは、少なくとも回路配索部材３、及び、当該回路配索部材３に実装された複数の電子部品受け部２１を収容するものである。筐体４は、上述したように、ロアカバー５とアッパカバー６とを備え、ロアカバー５とアッパカバー６とが組み合わさって全体として中空箱状に形成される。ロアカバー５、及び、アッパカバー６は、絶縁性の合成樹脂によって形成される。
【００２６】
ロアカバー５は、筐体４を構成する主たる部分である。ロアカバー５は、皿状（トレイ状）の部材である。ロアカバー５は、収容空間部４１を形成する枠状の壁体である側壁部５ａと、当該側壁部５ａで囲われた収容空間部４１の一方の開口（積層方向下側の開口）を閉塞する底体である底部５ｂとを含み、これらが一体で形成される。側壁部５ａは、底部５ｂの縁部から積層方向上側に向けて立設されるようにして形成される。ロアカバー５は、側壁部５ａ、底部５ｂが組み合わさって全体として、積層方向上側に開口を有する中空箱状に形成される。
【００２７】
アッパカバー６は、ロアカバー５の積層方向上側に積層され相互に組み付けられ、ロアカバー５と共に筐体４を構成するものである。アッパカバー６は、ロアカバー５の積層方向上側の開口を塞ぐ蓋状のカバー部材である。アッパカバー６は、ロアカバー５の側壁部５ａの外側を覆う枠状の壁体である側壁部６ａと、当該側壁部６ａで囲われた空間部の一方の開口（積層方向上側の開口）を閉塞する天井体である天井部６ｂとを含み、これらが一体で形成される。側壁部６ａは、天井部６ｂの縁部から積層方向下側に向けて立設されるようにして形成される。アッパカバー６は、側壁部６ａ、天井部６ｂが組み合わさって全体として、積層方向下側に開口を有する中空箱状に形成される。
【００２８】
アッパカバー６とロアカバー５とは、底部５ｂが積層方向下側に位置し、天井部６ｂが積層方向上側に位置する位置関係で、種々の係止機構等を介して相互に組み付けられることで、全体として略直方体箱状の筐体４を構成する。筐体４は、ロアカバー５とアッパカバー６とが組み付けられた状態で  底部５ｂと天井部６ｂとが積層方向に沿って対向し、側壁部５ａ、６ａ、底部５ｂ、及び、天井部６ｂによって区画される中空状の内部空間部が収容空間部４１として形成される。収容空間部４１は、回路配索部材３、及び、当該回路配索部材３に実装された複数の電子部品受け部２１を収容するための空間部である。筐体４は、回路配索部材３において複数の電子部品受け部２１が実装された実装面が積層方向の上側を向く位置関係で、当該電子部品受け部２１、及び、当該回路配索部材３を収容空間部４１に収容する。
【００２９】
そして、本実施形態の筐体４は、筐体４の外部側から筐体４の内部側の電子部品受け部２１に対して電子部品２を嵌合するための複数の開口部６１が形成される。ここでは、複数の開口部６１は、少なくとも第１電子部品２２が嵌合される電子部品受け部２１に対応して設けられる第１開口部６２と、第２電子部品２３が嵌合される電子部品受け部２１に対応して設けられる第２開口部６３との２つを含む。
【００３０】
第１開口部６２は、筐体４のアッパカバー６において、複数の嵌合凹部２１ａのうちの１つと対向する位置に形成され、第２開口部６３は、筐体４のアッパカバー６において、複数の嵌合凹部２１ａのうちの他の１つと対向する位置に形成される。より詳細には、第１開口部６２、第２開口部６３は、各部が組み付けられた状態で、嵌合凹部２１ａの積層方向上側の開口と積層方向に沿って対向する。第１開口部６２、第２開口部６３は、それぞれ第１電子部品２２、第２電子部品２３の外形形状、及び、嵌合凹部２１ａの積層方向上側の開口の形状より若干大きな略矩形状に形成されると共に、嵌合凹部２１ａ側に突出した部分として、第１開口部６２と第２開口部６３とで相互に形状が異なる第１筐体側形状相違部としての第１形状相違部６２ａ、及び、第２筐体側形状相違部としての第２形状相違部６３ａが形成される。第１形状相違部６２ａ、及び、第２形状相違部６３ａは、上述したように、第１電子部品２２、第２電子部品２３における第１形状相違部２２ｂ、及び、第２形状相違部２３ｂと共に、フールプルーフ機能部として機能する。つまり、本実施形態の電気接続箱１は、第１電子部品２２、第２電子部品２３が嵌合される電子部品受け部２１自体を同一形状とすることで共通化し汎用性を向上する一方、電子部品受け部２１を収容する筐体４自体に第１形状相違部６２ａ、第２形状相違部６３ａを設けフールプルーフ機能部を付加することで誤組み付けの防止を図っている。第１形状相違部６２ａ、及び、第２形状相違部６３ａは、設けられる電子部品２の仕様や筐体４における設置位置等に応じて個別に設定される形状、言い換えれば、設けられる電子部品２の仕様や筐体４における設置位置等に応じて識別可能に形成される形状であり、第１形状相違部６２ａが第１形状相違部２２ｂに対応した形状に形成され、第２形状相違部６３ａが第２形状相違部２３ｂに対応した形状に形成される。ここでは、第１形状相違部６２ａ、及び、第２形状相違部６３ａは、共に第１開口部６２、第２開口部６３における第１幅方向に沿った端面に形成される。第１形状相違部６２ａ、及び、第２形状相違部６３ａは、第１開口部６２、第２開口部６３における第１幅方向に沿った端面から第２幅方向に沿って嵌合凹部２１ａ側に突出する突出片として形成される一方、第１幅方向に対して異なる位置に形成される。ここでは、第１形状相違部６２ａは、第１開口部６２において、第１電子部品２２における第１形状相違部２２ｂの位置とほぼ同等の位置に形成され、第２形状相違部６３ａは、第２開口部６３において、第２電子部品２３における第２形状相違部２３ｂの位置とほぼ同等の位置に形成される。これにより、第１形状相違部６２ａは、第１開口部６２において、第１電子部品２２の第１形状相違部２２ｂが通過可能でかつ第２電子部品２３の第２形状相違部２３ｂが通過不能な形状に形成され、第２形状相違部６３ａは、第２開口部６３において、第２電子部品２３の第２形状相違部２３ｂが通過可能でかつ第１電子部品２２の第１形状相違部２２ｂが通過不能な形状に形成される。このようにして、第１開口部６２は、嵌合凹部２１ａ側に突出した第１形状相違部６２ａの形状に応じて第１電子部品２２に対応した第１形状に形成される一方、第２開口部６３は、嵌合凹部２１ａ側に突出した第２形状相違部６３ａの形状に応じて第２電子部品２３に対応した第２形状に形成される。
【００３１】
上記のように構成される電気接続箱１は、第１電子部品２２、第２電子部品２３が筐体４の外部側から筐体４の内部側の電子部品受け部２１の各嵌合凹部２１ａに対して第１開口部６２、第２開口部６３を介して嵌合されることで、第１電子部品２２、第２電子部品２３と回路配索部材３とが端子２１ｄ等を介して電気的に接続される。この場合、第１電子部品２２は、第１開口部６２を介して電子部品受け部２１の嵌合凹部２１ａに嵌合され、第２電子部品２３は、第２開口部６３を介して電子部品受け部２１の嵌合凹部２１ａに嵌合される。このとき、第１開口部６２は、第１形状相違部６２ａが第１電子部品２２の第１形状相違部２２ｂの通過を許容することで第１電子部品２２の嵌合凹部２１ａへの嵌合を許容し、第２電子部品２３の第２形状相違部２３ｂと第１形状相違部６２ａとが当接することで第２電子部品２３の嵌合凹部２１ａへの嵌合を規制する。一方、第２開口部６３は、第２形状相違部６３ａが第２電子部品２３の第２形状相違部２３ｂの通過を許容することで第２電子部品２３の嵌合凹部２１ａへの嵌合を許容し、第１電子部品２２の第１形状相違部２２ｂと第２形状相違部６３ａとが当接することで第１電子部品２２の嵌合凹部２１ａへの嵌合を規制する。
【００３２】
以上で説明した電気接続箱１によれば、嵌合凹部２１ａが形成された電子部品受け部２１と、第１形状に形成され嵌合凹部２１ａに嵌合可能である第１電子部品２２と、電子部品受け部２１を収容すると共に、嵌合凹部２１ａと対向する位置に、一部が嵌合凹部２１ａ側に突出し第１形状に応じた形状に形成された第１開口部６２を有する筐体４とを備える。以上で説明したワイヤハーネスＷＨによれば、電線Ｗと、上記電気接続箱１とを備える。
【００３３】
したがって、電気接続箱１、ワイヤハーネスＷＨは、筐体４において第１電子部品２２の第１形状に応じて形成された第１開口部６２によって当該第１電子部品２２とは異なる形状の部品（例えば、第２電子部品２３）が当該第１開口部６２を介して電子部品受け部２１の嵌合凹部２１ａに誤って組み付けられることを防止することができる。この場合、電気接続箱１、ワイヤハーネスＷＨは、第１電子部品２２が嵌合される嵌合凹部２１ａの形状を共通の構成とした上で、当該嵌合凹部２１ａ側に突出した部分を含み筐体４側に形成される第１開口部６２の形状を適宜変更することで、第１形状として様々な形状の第１電子部品２２に容易に対応することができる。この結果、電気接続箱１、ワイヤハーネスＷＨは、汎用性の向上と誤組み付けの防止とを両立することができる。
【００３４】
一例として、本実施形態の電気接続箱１、ワイヤハーネスＷＨによれば、第１形状とは異なる第２形状に形成され嵌合凹部２１ａに嵌合可能である第２電子部品２３を備え、電子部品受け部２１は、複数設けられ、それぞれ同一形状の嵌合凹部２１ａが形成され、筐体４は、複数の嵌合凹部２１ａのうちの１つと対向する位置に第１開口部６２が形成され、さらに、複数の嵌合凹部２１ａのうちの他の１つと対向する位置に、一部が嵌合凹部２１ａ側に突出し第２形状に応じた形状に形成された第２開口部６３を有する。
【００３５】
この場合、電気接続箱１、ワイヤハーネスＷＨは、第１電子部品２２、第２電子部品２３が嵌合される複数の電子部品受け部２１を共通の構成とした上で、筐体４において第１電子部品２２、第２電子部品２３のそれぞれの形状に応じて形成された第１開口部６２、第２開口部６３によって、第１電子部品２２、第２電子部品２３がそれぞれ誤った位置に組み付けられることを防止することができるので、汎用性の向上と誤組み付けの防止とを両立することができる。例えば、電気接続箱１、ワイヤハーネスＷＨは、適用される車種等にかかわらず、電子部品２等を可能な限り標準化、共用化すると共に、ロアカバー５やロアカバー５に組み付けられるアッパカバー６等にバリエーションを持たせることができる。そして、電気接続箱１は、適用される車種等に応じて要求される回路構成、ボリューム等に基づいて、最適な容量のロアカバー５、アッパカバー６を適宜選定して組み合わせて構成されることで、部材の標準化、共用化による汎用性の向上と、部材の選択多様性による最適化とをバランスよく両立することができる。その上で、電気接続箱１、ワイヤハーネスＷＨは、適用される車種等に応じて専用品として構成される筐体４のアッパカバー６の第１開口部６２、第２開口部６３の形状によって第１電子部品２２、第２電子部品２３の誤組み付けを防止することできる。
【００３６】
より詳細には、以上で説明した電気接続箱１によれば、第１電子部品２２と第２電子部品２３とは、それぞれ当該第１電子部品２２と当該第２電子部品２３とで相互に形状が異なる第１形状相違部２２ｂ、第２形状相違部２３ｂを有し、第１開口部６２は、嵌合凹部２１ａ側に突出した部分として、第１電子部品２２の第１形状相違部２２ｂが通過可能でかつ第２電子部品２３の第２形状相違部２３ｂが通過不能な形状に形成された第１形状相違部６２ａを有し、第１形状相違部６２ａが第１電子部品２２の第１形状相違部２２ｂの通過を許容することで第１電子部品２２の嵌合凹部２１ａへの嵌合を許容し、第２電子部品２３の第２形状相違部２３ｂと第１形状相違部６２ａとが当接することで第２電子部品２３の嵌合凹部２１ａへの嵌合を規制し、第２開口部６３は、嵌合凹部２１ａ側に突出した部分として、第２電子部品２３の第２形状相違部２３ｂが通過可能でかつ第１電子部品２２の第１形状相違部２２ｂが通過不能な形状に形成された第２形状相違部６３ａを有し、第２形状相違部６３ａが第２電子部品２３の第２形状相違部２３ｂの通過を許容することで第２電子部品２３の嵌合凹部２１ａへの嵌合を許容し、第１電子部品２２の第１形状相違部２２ｂと第２形状相違部６３ａとが当接することで第１電子部品２２の嵌合凹部２１ａへの嵌合を規制する。したがって、電気接続箱１、ワイヤハーネスＷＨは、第１開口部６２が第１形状相違部６２ａの形状に応じて第１電子部品２２に対応した第１形状に形成される一方、第２開口部６３が第２形状相違部６３ａの形状に応じて第２電子部品２３に対応した第２形状に形成されるので、第２電子部品２３が第１開口部６２を介して誤組み付けされること、及び、第１電子部品２２が第２開口部６３を介して誤組み付けされることを確実に抑制することができる。
【００３７】
なお、上述した本発明の実施形態に係る電気接続箱、及び、ワイヤハーネスは、上述した実施形態に限定されず、特許請求の範囲に記載された範囲で種々の変更が可能である。
【００３８】
以上の説明では、筐体４は、ロアカバー５とアッパカバー６との２部品構成であるものとして説明したがこれに限らない。この場合、筐体４は、嵌合凹部２１ａと対向する所定の位置に第１開口部６２、第２開口部６３がそれぞれ形成されていればよい。
【００３９】
以上の説明では、本実施形態の第１電子部品２２、第２電子部品２３は、いわゆるコネクタであり、電子部品受け部２１は、コネクタハウジングブロックであるものとして説明したがこれに限らず、第１電子部品、第２電子部品は、ヒューズ、リレー、コンデンサ、分岐部、電子制御ユニット、これらをユニット化した電子部品ユニット等であってもよく、電子部品受け部は、これらが嵌合される同一形状の嵌合凹部を有していればよい。
【００４０】
以上の説明では、第１形状相違部２２ｂ、及び、第２形状相違部２３ｂは、共に各コネクタハウジング２２ａ、２３ａにおける第１幅方向に沿った外面に積層方向に沿って延在する直線状凹部として形成されるものとして説明したが、他の形状であってもよい。この場合、第１形状相違部６２ａ、第２形状相違部６３ａは、第１形状相違部２２ｂ、第２形状相違部２３ｂに対応した形状となっていればよい。
【００４１】
以上で説明した電気接続箱１、ワイヤハーネスＷＨは、第１電子部品２２と第１開口部６２との組み合わせ、及び、第２電子部品２３と第２開口部６３との組み合わせに加えてさらに複数の電子部品と開口部との組み合わせを含んでいてもよい。
【００４２】
逆に、以上で説明した電気接続箱１、ワイヤハーネスＷＨは、一例として、第１電子部品２２に加えて第２電子部品２３を備えると共に、電子部品受け部２１が複数設けられ、筐体４が第１開口部６２、及び、第２開口部６３を有するものとして説明したがこれに限らない。電気接続箱１、ワイヤハーネスＷＨは、第２電子部品２３、第２開口部６３を備えず第１電子部品２２、第１開口部６２だけであってもよく、電子部品受け部２１が１つであってもよい。
【符号の説明】
【００４３】
１    電気接続箱
４    筐体
２１    電子部品受け部
２１ａ    嵌合凹部
２２    第１電子部品
２２ｂ    第１形状相違部（電子部品側形状相違部）
２３    第２電子部品
２３ｂ    第２形状相違部（電子部品側形状相違部）
６２    第１開口部
６２ａ    第１形状相違部（第１筐体側形状相違部）
６３    第２開口部
６３ａ    第２形状相違部（第２筐体側形状相違部）
Ｗ    電線
ＷＨ    ワイヤハーネス
【図１】
0006688636.tif 000002